(57)【特許請求の範囲】
【請求項１】
弾球遊技機の外枠に対して開閉自在に取付られた前面枠を施錠する施錠装置と、
前記前面枠の開閉状態を検出する開放検出器と
を備える弾球遊技機において、
前記施錠装置は、
前記前面枠に軸止され、その先端が鈎状に形成された施錠フックと、
前記施錠フックの鈎状に形成された部分に係合すると、前記前面枠を前記外枠に固定可能な係合面を有するストッパ片とからなり、
前記開放検出器は、
前記ストッパ片の係合面と前記施錠フックの鈎状に形成された部分とが係合する係合 地点と、前記前面枠を前記外枠に前記施錠装置により固定して施錠したときの、前記係 合地点に対向する前記前面枠上の対向地点とを結ぶ直線上あるいはその近傍に備えられ 、
さらに、
前記開放検出器は、前記係合面により作用を受けることによって、前記前面枠の開放を検出する検出部を備え、
前記ストッパ片は、前記検出部を押下する方向に突出する凸部を前記係合面に備え、
前記凸部を挿入可能な開口部から挿入された前記凸部により前記検出部を操作可能に前記開放検出器を収納する収納部を備えることを特徴とする弾球遊技機。
【請求項２】
請求項１記載の弾球遊技機において、
前記開放検出器は、
前記前面枠上に取り付けられていることを特徴とする弾球遊技機。
【請求項３】
請求項１，２いずれか記載の弾球遊技機において、
前記開放検出器は、
前記検出部として、前記ストッパ片により押下されるボタン部を備えた押しボタンスイッチであることを特徴とする弾球遊技機。
【発明の詳細な説明】
【０００１】
【発明の属する技術分野】
本発明は、外枠に対して開閉自在に取付られた前面枠の、外枠に対する開閉状態を検出する開放検出器を備えた弾球遊技機に関する。
【０００２】
【従来の技術】
従来より、パチンコ機は、遊技盤、ハンドル及び上皿等が取り付けられた前面枠が外枠に対し回動可能に設けられている。この様に構成したのは、補給路からパチンコ機へ供給されるパチンコ球の球詰まりやその他の保守点検等のために、必要に応じて開閉できるようにするためである。従って、通常は、前面枠が外枠に当接し、施錠装置により固定されている。
【０００３】
ところが、遊技客の中には、パチンコ機から賞品球を不正に払いださせるために、前面枠を開放してパチンコ機の制御回路、或いは信号線に手を加える等の不正行為を行う者がいた。そのため、図１１に示すように、前面枠Ｐ２が不正に開放されることを監視する目的で、パチンコ機には開放検出器Ｐ３が設置されている。
【０００４】
この開放検出器Ｐ３は、周知の押しボタンスイッチからなり、ボタンが操作されてスイッチ本体に押し込まれた状態になると内蔵された接点が開放して通電が遮断され、スイッチ本体からボタンが突出した状態に戻ると接点が閉じて通電するように構成されており、前面枠Ｐ２が外枠Ｐ１に当接したときボタンが押し込まれるように、外枠Ｐ１の内側に設置されている。
【０００５】
このような開放検出器Ｐ３を設置したパチンコ機では、前面枠Ｐ２が開放されると、開放検出器Ｐ３のボタンがスイッチ本体から突出し接点が閉じて通電するので、この通電の有無を検出することにより、前面枠Ｐ２が不正に開放されたか否かを検出できるのである。
【０００６】
即ち、このパチンコ機では、外枠Ｐ１に取り付けられた開放検出器Ｐ３のボタンが、前面枠Ｐ２に当接してスイッチ本体に押し込まれているか否かにより、前面枠Ｐ２の開閉を検出しているのである。
【０００７】
【発明が解決しようとする課題】
しかし、このような開放検出器Ｐ３を外枠Ｐ１に備えた従来のパチンコ機では、パチンコ機の組立作業の際、予め決められた場所に開放検出器Ｐ３を取り付けても、実際に製作したパチンコ機の前面枠Ｐ２と外枠Ｐ１との取付具合いによっては、例えば、ボタンが前面枠Ｐ２に当接しない場合があるなど、開放検出器Ｐ３を確実に作動させることができなかった。このため、開放検出器Ｐ３を確実に作動させるために、パチンコ機毎に開放検出器Ｐ３の取付位置を調節せねばならず、組立の作業効率が著しく悪くなるという問題があった。
【０００８】
また、一度取り付けても、前面枠Ｐ２を繰り返し開閉していると、前面枠Ｐ２あるいは外枠Ｐ１自体が歪み、前面枠Ｐ２を外枠Ｐ１に対して閉じた状態であるにも係わらず、ボタンが前面枠Ｐ２に当接できなくなり開放検出器Ｐ３が作動しなくなる場合があった。この場合、開放検出器Ｐ３が作動しているか否かの確認作業や作動していなければ取付位置を変更する必要があるなど保守に手間がかかるという問題があった。
【０００９】
そこで、本発明では、確実に開放検出器を作動させて前面枠の開放を検出することができ、しかも開放検出器の取付けが簡単なため組立の作業効率が良く、経年の使用によってもその取付位置を変える必要のない弾球遊技機を提供することを目的とする。
【００１０】
【課題を解決するための手段及び発明の効果】
上記目的を達成するための請求項１記載の発明は、弾球遊技機の外枠に対して開閉自在に取付られた前面枠を施錠する施錠装置と、前記前面枠の開閉状態を検出する開放検出器とを備える弾球遊技機において、前記施錠装置は、前記前面枠に軸止され、その先端が鈎状に形成された施錠フックと、前記施錠フックの鈎状に形成された部分に係合すると、前記前面枠を前記外枠に固定可能な係合面を有するストッパ片とからなり、前記開放検出器は、前記ストッパ片の係合面と前記施錠フックの鈎状に形成された部分とが係合する係合地点と、前記前面枠を前記外枠に前記施錠装置により固定して施錠したときの、前記係合地点に対向する前記前面枠上の対向地点とを結ぶ直線上あるいはその近傍に備えられ、さらに、前記開放検出器は、前記係合面により作用を受けることによって、前記前面枠の開放を検出する検出部を備え、 前記ストッパ片は、前記検出部を押下する方向に突出する凸部を前記係合面に備え、前記凸部を挿入可能な開口部から挿入された前記凸部により前記検出部を操作可能に前記開放検出器を収納する収納部を備えることを特徴とする。
【００１１】
この請求項１記載の弾球遊技機では、開放検出器を、係合地点と対向地点とを結ぶ直線上あるいはその近傍に取り付けることで、前面枠と外枠の取り付けガタが生じたり、前面枠自体あるいは外枠自体に歪みが生じたとしても、前面枠の開閉を有効に検出できる。つまり、前面枠の開放を検出する信頼度を飛躍的に向上させることができる。さらに、開放検出器の取り付け位置の調整作業を簡素化でき、保守点検の手間を軽減できる。
また、この弾球遊技機の開放検出器は、従来施錠装置として用いられてきたストッパ片の係合面を利用して開放検出器により前面枠の開放を検出しているため、前面枠の開放を検出するための特別な部品を用意する必要がないので、弾球遊技機の製作コストを抑えることができる。
さらに、この弾球遊技機は、開口部を有する収納部内に開放検出器を収納し、ストッパ片に設けられた凸部によってのみ開口部を通して検出部を操作可能に構成することによって、検出部を外部から操作出来ないようにしている。
このように収納部内に開放検出器を収納した弾球遊技機は、開放検出器の検出部にテープを貼る等して、検出部を押下した状態に固定し、前面枠の開放を検出できなくするといった遊技者による不正行為を確実に防ぐことができる。
また、収納部を備えることで、前面枠を勢いよく閉めてもストッパ片が収納部に当接し、開口部から挿入された凸部が検出部を必要以上に押下しないので、開放検出器は破損しない。
【００１２】
尚、開放検出器は、磁気センサ、光センサあるいは押しボタンスイッチ等どの様なものでもよい。
また、請求項１記載の「近傍」とは、前面枠の開閉方向に平行な平行線であって、施錠フックを軸止する点を通る平行線と、ストッパ片を固定する点であって施錠フックを軸止する点から最も遠い点を通る平行線との間の範囲をいう。従って、例えば、開放検出器Ｘ１は、図１２の開放検出器Ｘ１、施錠フックＹ１及びストッパ片Ｚ１との位置関係を説明するための模式図に表すように、ストッパ片Ｚ１を２つのネジＺ９で固定した場合、そのネジＺ９のうち施錠フックＹ１を軸止する点Ｙ２から最も遠いネジＺ９の固定点Ｚ２を通る平行線Ｚ３と、施錠フックＹ１を軸止する点Ｙ２を通る平行線Ｙ３との間にできる幅Ｘの部分にかかるように配置され、前面枠の開放を検出するのである。つまり、前面枠と外枠の取り付けガタが生じたり、前面枠自体あるいは外枠自体に歪みが生じたとしても、施錠フックＹ１を軸支する点Ｙ２は前面枠に対して固定されており、ストッパ片Ｚ１を固定する固定点Ｚ２は外枠に対して固定されており、施錠フックＹ１とストッパ片Ｚ１とが係合した状態であれば、Ｙ３とＺ３の位置関係はさほどずれることがなく、開放検出器Ｘ１を幅Ｘにかかるように配置すれば、前面枠の開閉を有効に検出できる。
【００１３】
次に、請求項２記載の発明は、請求項１記載の弾球遊技機において、前記開放検出器は、前記前面枠上に取り付けられていることを特徴とする。
この請求項２記載の弾球遊技機のようにすれば、開放検出器が電気を利用したスイッチ類の場合、前面枠側に設置される複数の機器の電気配線とともにまとめて配線できるので、外枠側に開放検出器を取り付ける場合に比べ、作業効率が向上する。
【００１６】
また、請求項３記載の発明のように、請求項１，２のいずれかに記載の弾球遊技機において、前記開放検出器が、前記検出部として、前記ストッパ片により、押下されるボタン部を備えた押しボタンスイッチであってもよい。この請求項５記載の弾球遊技機では、開放検出器として公知の押しボタンスイッチを用いることにより、低コストで前面枠の開放の検出器を行うことができる。
【００２３】
【発明の実施の形態】
以下に本発明の実施例を図面と共に説明する。
以下の説明では、弾球遊技機の代表例としてパチンコ機を例にとって説明する。尚、本発明は、パチンコ機に限らず、コイン遊技機、アレンジボール式パチンコ遊技機、スマートボールゲーム機等他の弾球遊技機で、パチンコ機と同様の施錠装置が必要な弾球遊技機にも適用できる。
【００２４】
まず、本実施例のパチンコ機１において、前面枠３を外枠２に固定する施錠装置５及び周辺装置について図１〜図３により説明する。
図１はパチンコ機１の裏面斜視図、図２は施錠装置５を解錠し、前面枠３を開放した様子を示す斜視図、図３は施錠フック３１がストッパ片２３の係合面２３１に係合する様子を示した模式図である。
【００２５】
パチンコ機１は、図１に示すように、長方形状に形成された前面枠３と、前面枠３の厚み方向に垂直な一方の面に当接して、前面枠３の縁に立設するように帯状に形成された外枠２とから構成されている。そして、前面枠３は、その一辺が一対の蝶番２１，２２にて回動自在に外枠２に軸着され、その遊端側は、通常施錠装置５により外枠２に開閉自在に固定される。
【００２６】
ところで、施錠装置５は、その先端が鈎状に形成され、剛性の大きな変形しにくい素材で構成された施錠フック３１，３２と、断面Ｌ字状に形成され、施錠フック３１，３２と同様剛性の大きな素材で構成されたストッパ片２３，２４とからなる。このうち断面Ｌ字状に形成されたストッパ片２３，２４の一面には、ネジ孔が２つ設けられている。
【００２７】
そして、ストッパ片２３，２４は、帯状に形成された外枠２の内側に、所定の距離をおいて、ネジ孔が設けられていない１面（以後「係合面２３１，２４１」とよぶ。）が外枠２に対して垂直に立設されるように、ネジ孔を通してネジで取り付けられる。
【００２８】
一方、施錠フック３１，３２は、前面枠３上にその先端が遊動可能に軸止され、前面枠３を外枠２に対して閉じたとき、鈎状に形成されたその先端がストッパ片２３，２４の係合面２３１，２４１に係合する位置に取り付けられている。
尚、外枠２及び前面枠３は、木製もしくはプラスチック製であり、施錠フック３１，３２及びストッパ片２３，２４は、外枠２及び前面枠３より剛性の大きな素材、例えば、金属等である。
【００２９】
次に、パチンコ機１の前面枠３には、図２に示すように、遊技盤を前面枠３に取り付けるため、長方形の輪郭状に形成され、その断面が略長方形状に形成されたミドルプレート３３が、施錠フック３１，３２が取り付けられた前面枠３の面上に設けられており、このミドルプレート３３の遊端側の外側側面が施錠フック３１，３２に隣接することになる。
【００３０】
またミドルプレート３３には、施錠フック３１が設けられている部分の近傍に後述する押しボタンスイッチ４を収納するための中空部３５が形成され、その中空部３５と外部とを連通する連通孔３４がミドルプレート３３の上面３３０に設けられている。
【００３１】
さらに、ストッパ片２３には、図２に示すように、係合面２３１の先端に、施錠フック３１を係合面２３１に係合させたとき、連通孔３４に挿入され、中空部３５内に到達可能な長さの突起２５が設けられている。
尚、突起２５の長さは、係合面２３１が上面３３０に当接したときに、突起２５の先端が後述するボタン４１を必要以上に押下しないような長さにする。
【００３２】
そして、ミドルプレート３３とストッパ片２３とは、図３に示すように、施錠フック３１を係合面２３１に係合させた時に、ミドルプレート３３の上面３３０と、係合面２３１の対向側面２３２との間で隙間Ｓをあけた位置関係となる。
次に、中空部３５内の構成について図４により説明する。
【００３３】
図４（ａ）は中空部３５が形成された部分のミドルプレート３３の断面斜視図、図４（ｂ）及び図４（ｃ）は中空部３５が形成された部分のミドルプレート３３の断面図である。但し、図４（ｂ）は、押しボタンスイッチ４が挿入されている場合の図である。
【００３４】
中空部３５は、図４に示すように、ミドルプレート３３内に形成された中空の空間である。
この中空部３５には、弾性変形可能な係合片３６が、ミドルプレート３３の内側側面３３２に平行に、ミドルプレート３３と一体的に形成され、内側側面３３２と係合片３６との間に、押しボタンスイッチ４を保持するための嵌合部３５０が形成される。また係合片３６の先端には、嵌合部３５０に向けて突出した鈎状部３６１が設けられている。そして、嵌合部３５０を形成するミドルプレート３３の上面３３０には、外部と連通する連通孔３４が設けられており、嵌合部３５０を形成する内側側面３３２上部には、嵌合部３５０内に保持する押しボタンスイッチ４の保持位置を決めるための係合ブロック３７が設けられている。
【００３５】
このように中空部３５内に形成された嵌合部３５０に押しボタンスイッチ４を設置するには、係合片３６を弾性変形させ、嵌合部３５０に押しボタンスイッチ４を押し込めばよい。このようにすると、押しボタンスイッチ４は、係合片３６とミドルプレート３３の内側側面３３２との間および、係合片３６の先端の鈎状部３６１と係合ブロック３７との間に固定され、押しボタンスイッチ４のボタン４１は、連通孔３４を通して突起２５により外部から操作可能になる。
【００３６】
次に、押しボタンスイッチ４の全体構成について図５により説明する。
図５は、押しボタンスイッチ４の全体構成図である。
押しボタンスイッチ４は、図５に示すように、断面凸の字状の本体４２と、本体４２に挿入して押下可能に設けられ、本体４２内に押下されると本体４２内部に設けられた電気的なスイッチの接点を閉じるボタン４１と、ボタン４１を本体４２から押し出す方向、即ちスイッチの接点を開放する方向にボタン４１を付勢する付勢手段（図示せず）とを備えた公知のスイッチである。
【００３７】
そして、前面枠３に設けられた図示しない制御部は、この本体４２に電源を供給し、接点が閉じられて通電すると前面枠３が開放していると判断する。
また、本体４２には、制御部からの電源の供給を受けるための電線４４が本体４２の突部側面に取付られ、電線の他端には、コネクタ４３が設けられている。コネクタ４３は、制御部からの電源供給を受けるために前面枠３に設けられた図示しないコネクタ受けに接続される。
【００３８】
尚、制御部は周知のものであるため、その制御方法等は、説明を省略する。
また、本実施例では、ボタン４１が押下されると本体４２に設けられた電気的なスイッチの接点を閉じる押しボタンスイッチ４について説明したが、ボタン４１が押下されると本体４２に設けられた電気的なスイッチの接点を開放する押しボタンスイッチを用いてもよい。この場合制御部は、この本体４２に電源を供給し、接点が開放して通電しなくなると前面枠３が開放していると判断する。
【００３９】
以上のように構成されたパチンコ機１では、以下図６及び図７を用いて説明するように、押しボタンスイッチ４により前面枠３の開放を検出する。
図６は係合間隔を説明する模式図、図７（ａ）はボタン４１が突起２５に押下される直前の様子を示す模式図、図７（ｂ）はボタン４１が突起２５に押下された状態を示す模式図である。
【００４０】
本実施例では、図６に示すように、押しボタンスイッチ４により前面枠３の開放を検出するため、施錠フック３１とストッパ片２３の係合面２３１とが係合したときの、係合面２３１と前面枠３との間隔である係合間隔αを利用する。
従来のパチンコ機１では、その組立の際、押しボタンスイッチ４を組立図面通りに取付けても、取付ガタ等により有効に前面枠３の開放を検知できなくなることがあったため、組立の過程においてその取付位置を調整する等の作業が必要であった。
【００４１】
ところが、本実施例のパチンコ機１では、施錠フック３１とストッパ片２３とが高剛性の変形し難い材料で作成されているので、係合間隔αは、組立の際の組立ガタや、パチンコ機１の経年の使用による前面枠３あるいは外枠２に歪みが生じても、大きく変化しない。
【００４２】
従って、本実施例のパチンコ機１のように押しボタンスイッチ４を係合地点βと対向地点γとを結ぶ直線上あるいはその近傍（「近傍」とは、前面枠３を外枠２に対して閉じたとき、係合面２３１が押しボタンスイッチ４のボタン４１に当接可能な範囲である。）に取り付けるよう設計し組み立て、係合間隔α以内に係合面２３１が存在するか否かを検出すれば、取付ガタが生じても有効に前面枠３の開放を検出できるので、押しボタンスイッチ４の取り付け位置を調整する必要がなくなり、組立効率を格段に向上させることができる。
【００４３】
一方、従来のパチンコ機１では、経年の使用により前面枠３等に歪が生じると、押しボタンスイッチ４が前面枠３の開放を検出することできなくなる場合があった。
しかし、本実施例のパチンコ機１は、押しボタンスイッチ４を係合地点βと対向地点γとを結ぶ直線上あるいはその近傍に取り付け、係合間隔α以内に係合面２３１が存在するか否かを検出することで、前面枠３の開放を検出しているので、押しボタンスイッチ４の取付け位置を調整する必要がなく、保守の手間を軽減できる。
【００４４】
従って、本実施例のパチンコ機１は、前面枠３の開放を検出する信頼度を飛躍的に向上させることができる。
また、押しボタンスイッチ４が前面枠３側に設置されているので、前面枠３側に設置される複数の機器の電気配線とともにまとめて配線できる。従って、パチンコ機１を組み立てる作業効率が向上する。
【００４５】
更に、押しボタンスイッチ４をミドルプレート３３に設けられた中空部３５の嵌合部３５０にはめ込むだけの簡単な作業で、押しボタンスイッチ４をパチンコ機１に設置することができ、作業効率が良くなる。
また本実施例では、ミドルプレート３３の嵌合部３５０内に押しボタンスイッチ４を収納し、ストッパ片２３の突起２５が連通孔３４を通じて押しボタンスイッチ４を操作するようにされているので、ボタン４１にテープを貼って、押しボタンスイッチ４による前面枠３の開放の検出をできなくする等の不正行為を防ぐことができる。
【００４６】
また、本実施例では、ミドルプレート３３中に押しボタンスイッチ４を収容しているので、前面枠３を勢いよく閉めてもストッパ片２３はミドルプレート３３に当たるだけで、押しボタンスイッチ４に直接当たることがなく、また、突起２５は、ストッパ片２３がミドルプレート３３の上面３３０に当接すると、ボタン４１をそれ以上本体４２内部に押し込むことができないので、ボタン４１は、必要以上に押し込まれることはない。従って、押しボタンスイッチ４の破損を防止することができる。
【００４７】
尚、本実施例のミドルプレート３３の上面３３０は、本件発明のカバー部に該当する。また、本実施例の連通孔３４は、本発明の開口部に該当する。さらに、本実施例の突起２５は、本発明の凸部に該当する。
また、本実施例の図６に示す、施錠フック３１と係合面２３１との係合地点βは、本発明の「係合地点」であり、本実施例の前面枠上の施錠フック３１が設置された根元部分近傍の、係合面２３１に対向する対向地点γは、本発明の「対向地点」であり、また、本実施例の係合面２３１に垂直な直線で、係合地点βと対向地点γとを結ぶ直線は、本発明の「前記係合地点と前記対向地点とを結ぶ直線」である。
【００４８】
尚、連通孔９２は、本件発明の開口部に該当する。
ここで、上記実施例では、ミドルプレート３３の内部に形成された中空部３５に押しボタンスイッチ４を設けたが、図８及び図９に示すように、例えば、ミドルプレート３３を階段状に形成し、嵌合部９９を外部に設けてもよい。この場合、嵌合部９９は、ミドルプレート３３の内側側面９３に形成された凹部９４と、階段状に形成したミドルプレート３３の下段９５の、凹部９４と対向する位置に設けられた弾性変形可能で、凹部９４方向に突出した鉤状部８０１を備える係合片８０とにより構成する。そして、凹部９４の上部には、ヒンジ部９１を介してミドルプレート３３と連続するカバー部９０を設け、カバー部９０には、連通孔９２を設ける。
【００４９】
このように構成されたミドルプレート３３に、押しボタンスイッチ４を収納するには、係合片８０を弾性変形し、嵌合部９９に押しボタンスイッチ４を差込み、凹部９４と係合片８０との間に挟む。そして、カバー部９０をヒンジ部９１を支点に回動して、押しボタンスイッチ４のボタン４１が設けられた面を覆う。
【００５０】
以上説明したように、上記ミドルプレート３３の外に嵌合部９９を設けると、押しボタンスイッチ４を前面枠３の外側から取り付けることが可能となり、押しボタンスイッチ４の前面枠３への取付作業が簡便になる。
次に、図１０に示すように、係合面２３１が、外枠２の内周面２９の幅方向の後方に配置される等して、係合間隔が長い場合、ミドルプレート３３上にホルダ３９を設置し、そこに押しボタンスイッチ４を収納させるようにしてもよい。
【００５１】
このようにすると、パチンコ機１の組立の際、押しボタンスイッチ４をホルダ３９に押し込むだけで、前面枠３の開放を確実に検知できるように、押しボタンスイッチ４を設置することができるので、組立効率が向上する。
尚、ホルダ３９をミドルプレート３３と一体成形してもよい。
【００５２】
以上実施例では、本件発明の開放検出器として押しボタンスイッチ４を用いたが、磁気センサー、光センサー等係合間隔を確実に検出できるものであればどのようなものを用いてもよい。
【図面の簡単な説明】
【図１】  本件実施例のパチンコ機の裏面斜視図である。
【図２】  本件実施例の施錠装置が解除されている時の外枠と前面枠との位置関係を示す斜視図である。
【図３】  本件実施例において、施錠フックがストッパ片の係合片に係合する様子を示した模式図である。
【図４】  本件実施例の中空部の構成を説明するための断面図である。
【図５】  本件実施例の開放検出器の概略構成図である。
【図６】  本件実施例の係合間隔を説明する模式図である。
【図７】  本件実施例の開放検出器と施錠フックとの位置関係を説明する概略構成図である。
【図８】  本件実施例の１変形例を説明する斜視図である。
【図９】  本件実施例の１変形例を説明する断面図である。
【図１０】  本件実施例の１変形例を説明する斜視図である。
【図１１】  従来のパチンコ機の斜視図である。
【図１２】  本件発明の開放検出器の取り付け位置を説明する模式図である。
【符号の説明】
１…パチンコ機、２…外枠、３…前面枠、４…押しボタンスイッチ、５…施錠装置、２１，２２…蝶番、２３，２４…ストッパ片、２５…突起、２９…内周面，３１，３２…施錠フック、３３…ミドルプレート、３４…連通孔、３５…中空部、３６…係合片、３７…係合ブロック、３９…ホルダ、４１…ボタン、４２…本体、４３…コネクタ、４４…電線、８０…係合片、９０…カバー部、９１…ヒンジ部、９２…連通孔、９３…内側側面、９４…凹部、９５…下段、９９…嵌合部、２３１，２４１…係合面、２３２…対向側面、３３０…上面、３３２…内側側面、３５０…嵌合部、３６１…鈎状部、８０１…鉤状部
【図１】
0004018814.tif 000002
【図２】
0004018814.tif 000003
【図３】
0004018814.tif 000004
【図４】
0004018814.tif 000005
【図５】
0004018814.tif 000006
【図６】
0004018814.tif 000007
【図７】
0004018814.tif 000008
【図８】
0004018814.tif 000009
【図９】
0004018814.tif 000010
【図１０】
0004018814.tif 000011
【図１１】
0004018814.tif 000012
【図１２】
0004018814.tif 000013